(57)【要約】      （修正有）【課題】インナーイヤー型イヤホンの音質向上と音漏れ防止するイヤホーンアダプターを提供する。【解決手段】イヤホンに組み合わせて使用するイヤホンアダプターは、イヤホンに取りつけるカバー部品１と、耳穴に差し込む先端部品３、及びカバー部品１と先端部品３を連結するパイプ部品２により構成する。これらの部品の中心部を貫通する穴を設け、その内径は音質低下を防ぐため出来るだけ大径とする。カバー部品１は、各種イヤホンに取付可能なる様に、よく伸びる樹脂またはゴムを使用し、パイプ部品２は、音質の維持のため少し硬めのゴム又は樹脂、先端部品３は無理なく耳の奧に入れられる様に、柔らかいゴム等を使用して構成する。【選択図】図４
0003154041.tif 000002
【実用新案登録請求の範囲】
【請求項１】
インナーイヤー型イヤホンに装着されるイヤホンアダプターであって、
（１）イヤホンに被着され、イヤホンの発音部分の部分に開口部が形成された、カバー部品と
（２）前記カバー部品の開口部に基記側連結された、筒状体からなるパイプ部品と
（３）前記パイプ部品の先端部に連結され、先端に向かって拡開な筒状に形成され、先端縁が外側に向かって折り返された先端部品と
を備えた事を特徴とするイヤホンアダプター。
【請求項２】
請求項１において、カバー部品、パイプ部品、先端部品である、三種の部品はそれぞれの特性を最大限に活かせる種類の材質の樹脂またはゴムを使用することを特徴としたイヤホンアダプター
【考案の詳細な説明】
【技術分野】
【０００１】本考案はインナーイヤー型イヤホンの音質を向上させるイヤホンアダプターに関するものであり、個々人の耳の穴の大きさに合わせてパイプ部品、先端部品を交換できるようにしたものである。
【背景技術】
【０００２】普通のインナーイヤー型イヤホンに装着する物は一体型構造あるいは先端のみを取り換え可能にした、二体型構造となってインナーイヤー型イヤホンの音質向上を図ろうとしている。
【先行技術文献】
【特許文献１】特開平１０−９８７９２号公報
【特許文献２】特開２００８−６０９４３号公報
【特許文献３】特開２００９−２７６７５号公報
【特許文献４】特開２００３−２８４１７７号公報
【考案の概要】
【考案が解決しようとする課題】
【０００３】インナーイヤー型イヤホンは外に音が洩れ周りに迷惑をかけることがあるため、リスナーは何を聞いているか周囲にわかってしまう。聞いている周囲はその雑音を聞き、不快になるのである。【０００４】音が外に洩れ情報が減るため、音質の低下を生じリスナーは気分よく音を聞くことができない。【０００５】普通のインナーイヤー型イヤホンは外部の雑音を、耳に取り込んでしまう。その上、インナーイヤー型イヤホンの機能上の特性のため外に音が分散して音質が低下してしまう。また、それに付属品を設け改良しようとした（先行技術文献）の従来品は一体型となっており、材質および硬度が部分ごとに変えられないため、音質向上を妨げる。その上、発音する穴の小さいものは音質向上を更に妨げる。
【課題を解決するための手段】
【０００６】本考案は、前記目的を達成するため、請求項１のイヤホンアダプターの考案はインナーイヤー型イヤホンに装着されるイヤホンアダプターであって、イヤホンに被着され、イヤホンの発音部分の部分に開口部が形成された、カバー部品とカバー部品の開口部に基記側連結された、筒状体からなるパイプ部品とパイプ部品の先端部に連結され、先端に向かって拡開な筒状に形成され、先端縁が外側に向かって折り返された先端部品を備えた事を特徴とする。
請求項２のイヤホンアダプターの考案は請求項１において、カバー部品、パイプ部品、先端部品である、三種の部品はそれぞれの特性を最大限に活かせる種類の材質の樹脂またはゴムを使用することを特徴とした。
【考案の効果】
【０００７】インナーイヤー型イヤホンはイヤホンアダプターを装着する事により、外に音が洩れなく周りに迷惑をかけることがないため、視聴者は何を聞いているか周囲がわかることはない。聞いている周囲は雑音を聞くこともないので、良好になる。【０００８】３体構造をとり各部品に適した素材を使用し、形態をとることで、より良い音響効果が発揮され、音質の良いものになる。
【図面の簡単な説明】
【０００９】
【図１】イヤホンアダプターを構成するカバー部品、パイプ部品、先端部品を示す部品図である。
【図２】イヤホンアダプターの組み立て図である。
【図３】イヤホンアダプターをインナーイヤー型イヤホンに装着した装着図である。
【図４】図３においてセットされたものを耳に取り付けた挿入装着図である。
【図５】イヤホンアダプターの大きさ（ａ）小、（ｂ）中、（ｃ）大、を示した構造図である。
【図６】図３においてセットされたインナーイヤー型イヤホンにセットより音が出た時の音の進み具合を示した伝達図である。
【図７】従来のインナーイヤー型イヤホンである。
【考案を実施するための形態】
【００１０】カバー部品とパイプ部品、先端部品のサイズ別の金型を作り、又デザインを変えたり模様をつけたりし、それぞれの部品の樹脂を生成することで実施、販売することができる。
【実施例】
【００１１】図１はイヤホンアダプターをカバー部品１、パイプ部品２、先端部品３をそれぞれ分けて書いた断面図である。図２はイヤホンアダプター本体である。図５はイヤホンアダプターを外耳道に挿入した図である。図３イヤホンアダプター本体の斜視図である。インナーイヤー型イヤホンの音の出る部分に密着し、音の出る部分を包み込むことで音を外に洩らさないようなカバー状にする。これを今後カバー部品と呼ぶこととする。従来のインナーイヤー型イヤホンを改良したカナル型イヤホンは筒状になった部分が短い。穴が小さいため音情報が損失することで音質低下を生じるが、この穴を大きくすることで音情報を出来るだけ大きくそのまま伝わるため高音質と迫力を保つことを可能とする。またこれは、カバー部品の開口部に基記側連結された、筒状体からなる。これを今後パイプ部品と呼ぶこととする。従来のインナーイヤー型イヤホンを改良したカナル型イヤホンはイヤーピースと呼ばれる先端部品の穴が筒状になったものと同様に小さくて音質低下を引き起こすが、この穴を大きくし、尚且つ肌触りの良いものにした。さらに音が漏れないように先端をラッパ状にすることで高音質を守り、音漏れを防ぐことを可能とした。またこれは、パイプ部品の先端部に連結され、先端に向かって拡開な筒状に形成され、先端縁が外側に向かって折り返されている。今後これを先端部品と呼ぶ。
カバー部品は金属やプラスチックにすると特定のイヤホンにのみしか装着可能とならず、又スポンジのような素材にすると、音を吸収していまい音情報が失われてしまう。これにより、よく伸びる樹脂またはゴムを使用し、どのインナーイヤー型イヤホンにも装着可能とした。その上、この素材はあまり音を通さない効果があり音漏れ防止にと特化している。
パイプ部品は金属やプラスチックにすると高音のみが強い音質となり、スポンジのような材質にすると高音がない籠った音質となるため、ホースのような少し硬めのゴム又は樹脂を使用することで全体的な音質の向上が可能となり、少し低音が強くなるため迫力のある音質を可能とした。
先端部品はとても柔らかいゴム又は樹脂を使用することで肌触りを良くし、折り返した構造にすることによってクッションを生み出し、無理なく耳の奥へ入れることを可能とした。
それぞれ、三種の部品に分けることで個々人にあったサイズのイヤホンアダプターを作ることを可能とし、その上、それぞれの特性を最大限に活かせる素材を使用することを可能とした。この三種の素材からでき、それを適切に合体させたものを今後、イヤホンアダプターと呼ぶものとする。【００１２】図４はイヤホンにイヤホンアダプターを装着した図である。
パイプ部品は、ゴム又は樹脂を使用することで伸び縮みが効いてあらゆる種類のイヤホンに装着可能になる。【００１３】図６はイヤホンアダプター４の大きさ（ａ）小、（ｂ）中、（ｃ）大、を示した構造図である。
パイプ部品と先端部品がそれぞれ図５のように３種類ずつあることで合計９種類つけ分けが可能となり、より個々人に合ったものを提供することができる。【００１４】図７はイヤホンアダプターを使用した時のイヤホンからの音の動きを示したものである。
イヤホン本体の発音部分から出た音は、パイプ部品を跳ね返り集音されながら通っていく。このとき金属のような材質の場合金属音効果が出て高音のみが強くなってしまう。これに対し樹脂又はゴムを使用することで、弦又は太鼓の膜を叩いたような音が出て迫力を生み出すことが可能である。又、発音部分以外から洩れた音はカバー部品によって跳ね返されパイプ部品へより多くの音を運ぶことが可能である。パイプ部品を通った音はラッパ状になった先端部品で一気に発散され、耳全体に広がった音を提供することができる。【００１５】図８は従来のインナーイヤー型イヤホンである。
【符号の説明】１カバー部品
２はパイプ部品
３先端部品
４イヤホンアダプター本体
５従来のインナーイヤー型イヤホンに装着したもの
６人体における耳
７イヤホン取り付け開口部
８パイプ部品取り付け開口部
９発音部分
（ａ）イヤホンアダプターの小
（ｂ）イヤホンアダプターの中
（ｃ）イヤホンアダプターの大
【図１】
0003154041.tif 000003
【図２】
0003154041.tif 000004
【図３】
0003154041.tif 000005
【図４】
0003154041.tif 000006
【図５】
0003154041.tif 000007
【図６】
0003154041.tif 000008
【図７】
0003154041.tif 000009
【図８】
0003154041.tif 000010
【手続補正書】
【提出日】平成21年7月6日(2009.7.6)
【手続補正１】
【補正対象書類名】実用新案登録請求の範囲
【補正対象項目名】全文
【補正方法】変更
【補正の内容】
【実用新案登録請求の範囲】
【請求項１】
インナーイヤー型イヤホンに装着されるイヤホンアダプターであって、
（１）イヤホンに被着され、イヤホンの発音部分の部分に開口部が形成された、カバー部品と
（２）前記カバー部品の開口部に基記側連結された、筒状体からなるパイプ部品と
（３）前記パイプ部品の先端部に連結され、先端に向かって拡開な筒状に形成され、先端縁が外側に向かって折り返された先端部品と
を備えた事を特徴とするイヤホンアダプター。
【請求項２】
請求項１において、前記カバー部品、前記パイプ部品、前記先端部品は樹脂、またはゴムで構成されていることを特徴としたイヤホンアダプター
【手続補正２】
【補正対象書類名】明細書
【補正対象項目名】０００９
【補正方法】変更
【補正の内容】
【０００９】
【図１】イヤホンアダプターを構成するカバー部品、パイプ部品、先端部品を示す部品図である。
【図２】イヤホンアダプターの組み立て図である。
【図３】イヤホンアダプターの組み立てた時の斜視図である。
【図４】イヤホンアダプターをインナーイヤー型イヤホンに装着した装着図である。
【図５】図４においてセットされたものを耳に取り付けた挿入装着図である。
【図６】イヤホンアダプターの大きさ（ａ）小、（ｂ）中、（ｃ）大、を示した構造図である。
【図７】図４においてセットされたインナーイヤー型イヤホンにセットより音が出た時の音の進み具合を示した伝達図である。
【図８】従来のインナーイヤー型イヤホンである。